(57)【要約】【課題】深雪（粉雪）滑走時においても固雪滑走時においても安定滑走が可能なスプリット・テールを備えたスノーボードの提供。【解決手段】スノーボードは、先端湾曲部１を持つ長手状の滑走板本体１０の尾端側に切込み３を当該尾端２から長手方向に沿って設け、この切込み３を挟んで互いに間隔を保つ一対の尾端片５，６を有し、滑走板本体１０の切込み近傍部７に押え板９及び止めネジＳ１，Ｓ２などから成る留め具で支持されており、切込み３を覆う撓み変形可能な片持ち梁板８を有する。尾端片５，６は板厚方向に貫く切込みスリット５ｂ，６ｂが形成されており、これに対応して、片持ち梁部材８の自由端側の隅部には、切込みスリット５ｂ，６ｂに遊嵌する差し込み片１１ａ，１２ａを持つＬ形金具１１，１２が設けられている。【選択図】      図３
2009077744.tif 000002
【特許請求の範囲】
【請求項１】
先端湾曲部を持つ長手状の滑走板本体の尾端側に切込みを当該尾端から長手方向に沿って設け、この切込みを挟んで互いに間隔を保つ一対の尾端片を形成した雪上滑走板において、
前記滑走板本体の切込み近傍部に梁留め具で支持されており、前記切込みを覆う撓み変形可能な片持ち梁部材を有することを特徴とする雪上滑走板。
【請求項２】
請求項１に記載の雪上滑走板において、前記片持ち梁部材を前記一対の尾端片の上面に対する法線方向に離接規制するガイド手段を有することを特徴とする雪上滑走板。
【請求項３】
請求項２に記載の雪上滑走板において、前記ガイド手段は、前記尾端片のそれぞれに設けたスリットと、前記片持ち梁部材の自由端側に固定されており、前記スリットに対応して遊嵌する差し込み片とを有することを特徴とする雪上滑走板。
【請求項４】
請求項１乃至請求項３のいずれか一項に記載の雪上滑走板において、前記留め具は、前記片持ち梁部材の撓み剛性を増減可能な調節機構を有することを特徴とする雪上滑走板。
【請求項５】
請求項４に記載の雪上滑走板において、前記梁留め具は、前記片持ち梁部材の固定端側に重ねる押え板と、この押え板において前記固定端寄りの第１の位置で前記片持ち梁部材を貫いて前記切込み近傍部に締着する１以上の第１の止めネジと、前記押え板において第１の位置よりも前記自由端寄りの第２の位置で前記片持ち梁部材を貫いて前記切込み近傍部に締着する１以上の第２の止めネジとを有し、この第２の止めネジに弾力性部材を嵌めて成ることを特徴とする雪上滑走板。
【発明の詳細な説明】
【技術分野】
【０００１】
本発明は、スノーボードやスキーなどの雪上滑走板に関し、特に、そのスプリット・テールに関する。
【背景技術】
【０００２】
例えば、特開昭５６−１１６４７４に開示の如く、スキー板の尾端側中央にその尾端から切込みを長手方向に設けてこの切込みを挟んで互いに間隔を保つ一対の幅狭状の尾端片を形成したスプリット・テールを持つスキーが知られており、深雪（粉雪）滑走時においては幅狭状の尾端片が沈み込むことで相対的に先端湾曲部が浮き上がるため、滑走安定性を図ることができる。
【特許文献１】特開昭５６−１１６４７４（図１、図２）
【発明の開示】
【発明が解決しようとする課題】
【０００３】
しかしながら、幅狭状の尾端片は撓み剛さと捩り強度が低くため、滑走時に暴れ易く、特に、固雪滑走時においては幅狭状の尾端片が過度に撓んだり、折損等が起り易い。
【０００４】
そこで上記問題点に鑑み、本発明の課題は、深雪（粉雪）滑走時においても固雪滑走時においても安定滑走が可能なスプリット・テールを備えた雪上滑走板を提供することにある。
【課題を解決するための手段】
【０００５】
上記課題を解決するために、本発明は、先端湾曲部を持つ長手状の滑走板本体の尾端側に切込みを当該尾端から長手方向に沿って設け、この切込みを挟んで互いに間隔を保つ一対の尾端片を形成した雪上滑走板において、滑走板本体の切込み近傍部に梁留め具で支持されており、切込みを覆う撓み変形可能な片持ち梁部材を有することを特徴とする。
【０００６】
斯かる構成の雪上滑走板によれば、片持ち梁部材が一対の尾端片の反りを抑制する変形抑止機能を発揮するため、固雪滑走においては安定滑走を実現でき、折損事故を抑制できる。また、深雪（粉雪）滑走時においては片持ち梁部材が尾端片から浮き上がって適度に撓み変形し、切込みを介した雪の一部が片持ち梁部材と尾端片との隙間を上方へ通り抜けながら尾端片が沈み込んで先端湾曲側が浮き上がるので、安定滑走を実現できる。
【０００７】
片持ち梁部材を一対の尾端片の上面に対する法線方向に離接規制するガイド手段を設けることが望ましい。片持ち梁部材に幅方向の力が作用しても、ガイド手段が片持ち梁部材の幅方向へのブレを抑制できるため、片持ち梁部材及び梁留め具の故障を抑制でき、長寿命化に寄与する。
【０００８】
このガイド手段としては、例えば、尾端片のそれぞれに設けたスリットと、片持ち梁部材の自由端側に固定されており、スリットに対応して遊嵌する差し込み片とを有する構成とすることができる。片持ち梁部材が撓んで尾端片から離れた際に、片持ち梁部材側の差し込み片が尾端片側のスリットになおも嵌って片持ち梁部材の横ブレや尾端片の過度な撓みを抑止できる。
【０００９】
また、梁留め具としては、片持ち梁部材の撓み剛性を増減可能な調節機構を有することが望ましい。適宜、片持ち梁部材の撓み剛性を調節できるため、深雪や固雪の雪質や深さの程度梁留め具としては、片持ち梁部材の固定端側に重ねる押え板と、この押え板において固定端寄りの第１の位置で片持ち梁部材を貫いて切込み近傍部に締着する１以上の第１の止めネジと、押え板において第１の位置よりも自由端寄りの第２の位置で片持ち梁部材を貫いて切込み近傍部に締着する１以上の第２の止めネジとを有し、この第２の止めネジに弾力性部材を嵌めて成ることが望ましい。第２の止めネジの締着加減による弾力性部材の締め付け力が変わり、片持ち梁部材の実質的な梁長さの可変により撓み剛性を変えることができる。
【発明を実施するための最良の形態】
【００１０】
次に本発明の実施例を添付図面に基づいて説明する。図１は本発明の実施例に係るスプリット・テール形スノーボードを示す斜視図、図２は同スノーボートのテール側を拡大して示す斜視図、図３は同スノーボートのテール側を分解して示す斜視図、図４は同スノーボートにおいてテール側の分解状態を拡大して示す斜視図、図５は図１中のＡ−Ａ′線に沿って切断した断面図である。
【００１１】
本例のスプリット・テール形スノーボードは、湾曲先端部１を持つ長手状のスノーボード本体１０の尾端側において、切込み３が尾端２から長手方向に沿って設けられており、この切込み３を挟んで互いに間隔を保ち二股に分かれた一対の尾端片５，６を有している。尾端片５，６の側縁はスノーボード本体１０の側縁を延長したものであり、尾端片５，６はスノーボード本体１０から後方へ張り出た略一様幅となっている。切込み３の奥縁は鈍角の略Ｖ字状となっている。また、図５に示す如く、切込み３に臨む尾端片５，６の内側面５ａ，６ａは下稜線よりも上稜線が切込み３に張り出た逆勾配面となっている。なお、図１〜図４においてはスノーボード本体１０に取り付ける靴留め具（ビンディング）が省略されている。
【００１２】
このスノーボード本体１０においては、切込み近傍部７に梁留め具で支持されており、切込み３を覆う撓み変形可能な片持ち梁板８が設けられている。この片持ち梁板８は切込み３の全面を覆い、その両側が一対の尾端片５，６の上面に重なっている。片持ち梁板８の切込み近傍部７上に重なる固定端側は中央湾曲縁８ａとこれを間においた一対の前突片８ｂ，８ｃとを有している。
【００１３】
片持ち梁板８を片持ち支持するための梁留め具としては、まず、片持ち梁板８の固定端側に重ねる押え板９を有する。この押え板９は片持ち梁板８の固定端側の形状に倣い、中央湾曲縁９ａとこれを間においた一対の前突片９ｂ，９ｃとを有する。また、この押え板９の前突片９ｂ，９ｃのネジ孔Ｈ１で片持ち梁板８の前突片８ｂ，８ｃのネジ孔ｈ１を貫いて切込み近傍部７に締着する２つの第１の止めネジＳ１と、ネジ孔Ｈ１よりも自由端寄りのネジ孔Ｈ２で片持ち梁部材８のネジ孔ｈ２を貫いて切込み近傍部７に締着する３つの第２の止めネジＳ２とを有している。Ｗは金属製ワッシャであるが、第２の止めネジＳ２には厚みのある弾力性ワッシャ（ゴムワッシャ）Ｘが嵌められている。なお、弾力性ワッシャＸの代りに、スプリングを用いても構わない。
【００１４】
一方、尾端片５，６は板厚方向に貫く切込みスリット５ｂ，６ｂが形成されており、これに対応して、片持ち梁部材８の自由端側の隅部には、切込みスリット５ｂ，６ｂに遊嵌する差し込み片１１ａ，１２ａを持つＬ形金具１１，１２が設けられている。このＬ形金具１１，１２は片持ち梁部材８の自由端側の隅部に形成した取り付けスリット８ｄ，８ｅに差し込み片１１ａ，１２ａを挿入して接着固定されており、片持ち梁部材８を一対の尾端片５，６の上面に対する法線方向に離接規制するガイド手段として機能している。
【００１５】
このような構成のスノーボードにおいては、片持ち梁板８が一対の尾端片５，６の反りを抑制する変形抑止機能を発揮するため、固雪滑走においては尾端片５，６の過度な撓みを無くすことができ、安定滑走を実現できると共に折損事故を抑制できる。また、深雪（粉雪）滑走時においては片持ち梁板８が尾端片５，６から浮き上がって適度に撓み変形し、切込みを介した雪の一部が片持ち梁板８と尾端片５，６との隙間を上方へ通り抜けながら尾端片５，６が沈み込んで先端湾曲部１側が浮き上がるので、安定滑走を実現できる。
【００１６】
この片持ち梁板８の撓み剛性は第２の止めネジＳ２の螺着度合いで調節できる。即ち、第２の止めネジＳ２を強くねじ込んで弾力性ワッシャＸを圧迫する程、片持ち梁板８の梁長さが実質的に短くなり、撓み剛性が大きくなるので、自由端側の撓み変形量を抑制でき、他方、第２の止めネジＳ２を緩めて弾力性ワッシャＸの圧縮を緩和する程、片持ち梁板８の梁長さが実質的に長くなり、撓み剛性が小さくなるので、自由端側の撓み変形量を増大できる。このため、体重や雪質などに合わせて片持ち梁板８の撓み変形量を適宜調節でき、安定滑走を実現できる。
【００１７】
ここで、傾斜滑走やカーブ操作中では、片持ち梁板８が撓んだ際、片持ち梁板８と尾端片５，６のいずれか一方との間に大きな隙間を生じ、そこを通り抜ける雪の圧力で、片持ち梁板８に撓みや捩れ変形ばかりか、尾端片５，６に過度な撓みを伴うものとなり、片持ち梁板８又は梁留め具としての押え板９や止めネジＳ１，Ｓ２に緩みやガタツキなどの不具合の生じ、尾端片５，６の折損が生じる恐れがある。しかしながら、片持ち梁板８の捩れ変形に対しては弾力性ワッシャＸが緩衝材として作用し、また、ある程度の撓みや捩れに対して、差し込み片１１ａ，１２ａが切込みスリット５ｂ，６ｂに嵌っているため、片持ち梁板８の横ブレや尾端片５，６の過度な撓みを抑止できる。このため、片持ち梁板８，尾端片５，６や留め具の長寿命化を図ることができる。
【００１８】
なお、上記実施例は本発明を適用したスノーボードの例であるが、スキーなど一般に雪上滑走板において適用できることは云う迄もない。
【図面の簡単な説明】
【００１９】
【図１】本発明の実施例に係るスプリット・テール形スノーボードを示す斜視図である。
【図２】同スノーボートのテール側を拡大して示す斜視図である。
【図３】同スノーボートのテール側を分解して示す斜視図である。
【図４】同スノーボートにおいてテール側の分解状態を拡大して示す斜視図である。
【図５】図１中のＡ−Ａ′線に沿って切断した断面図である。
【符号の説明】
【００２０】
１…湾曲先端部
２…尾端
３…切込み
５，６…尾端片
５ａ，６ａ…内側面
５ｂ，６ｂ…切込みスリット
７…切込み近傍部
８…片持ち梁板
８ａ，９ａ…中央湾曲縁
８ｂ，８ｃ，９ｂ，９ｃ…前突片
８ｄ，８ｅ…取り付けスリット
９…押え板
１０…スノーボード本体
１１，１２…Ｌ形金具
Ｈ１，Ｈ２，ｈ１，ｈ２…ネジ孔
Ｓ１…第１の止めネジ
Ｓ２…第２の止めネジ
Ｘ…弾力性ワッシャ（ゴムワッシャ）
【図１】
2009077744.tif 000003
【図２】
2009077744.tif 000004
【図３】
2009077744.tif 000005
【図４】
2009077744.tif 000006
【図５】
2009077744.tif 000007